(57)【要約】【課題】  従来、長袖シャツや半袖シャツ等のシャツを着用すると、着用中にスラックス上端からシャツがに余分に外側にはみ出したり、だぶだぶの状態になったりするという問題点があり、この問題点を解消することができるシャツを提供する。【解決手段】  前身頃の中央が分割開口され、一方側に多数のボタンが設けられてなるボタン側と、他方側に多数のボタン穴が設けられてなるボタン穴側と、を備えてなる長袖シャツや半袖シャツ等のシャツにおいて、ボタン側の前身頃の下部の表側と、ボタン穴側の前身頃の下部の裏側とには、相互に接合することができる接合部材が設けられている、ことを特徴とするシャツである。【選択図】図１
2013227706.tif 000002
【特許請求の範囲】
【請求項１】
前身頃の中央が分割開口され、一方側に多数のボタンが設けられてなるボタン側と、他方側に多数のボタン穴が設けられてなるボタン穴側と、を備えてなる長袖シャツや半袖シャツ等のシャツにおいて、
ボタン側の前身頃の下部の表側と、
ボタン穴側の前身頃の下部の裏側とには、
相互に接合することができる接合部材が設けられている、
ことを特徴とするシャツ。
【請求項２】
接合部材は、マジックテープ等の面接合テープである、
ことを特徴とする請求項１記載のシャツ。
【請求項３】
接合部材は、ホックである、
ことを特徴とする請求項１記載のシャツ。
【請求項４】
接合部材は、ボタンである、
ことを特徴とする請求項１記載のシャツ。
【請求項５】
接合部材は、チャック（ジッパー、ファスナー）である、
ことを特徴とする請求項１記載のシャツ。
【発明の詳細な説明】
【技術分野】
【０００１】  本発明は、長袖シャツ（Ｙシャツやブラウス等）や半袖シャツ等のシャツに関し、特にスラックス（ズボン等）からのはみ出しやだぶだぶ状態を防止したシャツに関する。
【背景技術】
【０００２】  従来の長袖シャツや半袖シャツ等のシャツは、着用中にスラックスの上端からシャツが外側に余分にはみ出したり、だぶだぶの状態となり、見た目がだらしなくなり、美しさに欠ける問題点があった。【０００３】  また、このはみ出し等を修正する機会が多く、煩雑であるばりでなく、動作が見っともないという問題点があった。
【発明の概要】
【発明が解決しようとする課題】
【０００４】  このような従来技術の問題点に鑑み、本発明の主な目的は、シャツ着用中におけるスラックスの上端からのシャツのはみ出し、及びだぶだぶ状態を解消することにより、見た目の向上とその修正による煩雑さと、見っともなさの防止を図ることが出来るシャツを提供することにある。
【課題を解決するための手段】
【０００５】  本発明は、このような目的を達成する為になされたもので、長袖シャツや半袖シャツ等のシャツにおいて、ボタン側の前身頃の下部の表側と、ボタン穴側の前身頃の下部の裏側とには、相互に接合することができる接合部材が設けられているシャツを提供するものである。
【発明の効果】
【０００６】  このように本発明によれば、従来の問題点を解消できる。
（１）シャツの前身頃の下部が身体にフィットして締付けられるので、スラックス上端か      らのシャツのはみ出しが防止され、シャツの着用感が向上する。
（２）スラックス上端からのシャツのはみ出しやシャツのだぶだぶ状態が解消されるので      、見た目が向上する。
（３）このようにシャツのはみ出しやシャツのだぶだぶ状態が解消されるため、シャツ着      用状態の修正の必要性が解消され、修正による煩雑さが解決される。
【図面の簡単な説明】
【０００７】
【図１】本発明の実施形態を示すシャツの正面図である。
【図２】同接合部材の接合状態のシャツの正面図である。
【図３】同シャツの横断面図である。
【発明を実施するための形態】
【０００８】  以下、本発明の実施の形態を図１〜図３に基づいて説明する。
【０００９】  本発明のシャツ１は、長袖シャツや半袖シャツ等のシャツであって、前身頃２の中央が分割され、多数のボタンが設けられたボタン取付側４と、これに対応するボタン穴５が多数設けられたボタン穴側６とを備えている。
【００１０】  着用者の腰部に相当するボタン取付側４の下部の表側４ａと、ボタン穴側６の下部の裏側６ａとには、相互に接合することができる表接合部材７ａと裏接合部材７ｂとからなる接合部材７が設けられている。
【００１１】  該接合部材７は、本実施例にあっては、ワンタッチで接合または剥離することができる表面接合テープ７ａと裏面接合テープ７ｂとからなる面接合テープ（マジックテープ等）である。
【００１２】  この接合部材７は、前身頃の開口端部（左右端部）から少し間隔（例えば５ｃｍ位）をおいて接合に必要な所定長さ（例えば１５ｃｍ位）で、縫製等の手段により設けられている。
【００１３】  次に、本発明の使用方法について説明する。
【００１４】  まず、上記シャツ１のボタンを止める等普通に着用する。
【００１５】  次に、接合部材である表裏面接合テープ７ａ、７ｂ相互を合わせて、圧接することにより、両者を接合する。
【００１６】  この際、前身頃２のボタン取付側４の下部の表側４ａと、ボタン穴側６の下部の裏側６ａとを、身体にフィットさせて、スラックス上端からのシャツのはみ出しやシャツのだぶだぶ状態がないようにして締付け、上記表裏面接合テープ７ａ、７ｂ相互を合わせて、圧接することにより、両者を接合した面接合テープ７として、前身頃の下部を絞った状態とすることができる。
【００１７】  これによって、従来の問題点であったシャツ着用の際におけるスラックス上端からのシャツのはみ出しやシャツのだぶだぶ状態を解消することができる。
【００１８】  さらに、このシャツを脱ぐ際には、まず、上記表裏面接合テープ７ａ、７ｂ相互を剥離させて、面接合テープ７の接合を解除することができる。
【００１９】  つづいて、ボタン穴５からボタン３を外して、前身頃２の中央の取付を解放して、シャツ１を脱ぐことができる。
【００２０】  本発明は、上記実施例に限定されるものでなく、前身頃２のボタン取付側４の下部の表側４ａと、ボタン穴側６の下部の裏側６ａとを、合わせて相互に接合することができるものならば、その他の接合手段とすることができる。
【００２１】  このような接合手段としては、図示は省略するが、例えば凸部と凹部とが嵌合するホックとすることができる。
【００２２】  また、該接合手段としては、ボタンとすることもできる。
【００２３】  さらに、この接合手段としては、チャック（ジッパー、ファスナー）とすることもできる。
【００２４】  尚、本発明は、上記実施例の前身頃の分割開口がボタンとボタン穴とにより止められるシャツに限ることなく、図示は省略するが、ホックにより止められるシャツや、チャック（ジッパー、ファスナー）により止められるシャツや、マジックテープ等の面接着テープにより止められるシャツ、等とすることができ、上記実施例と同要領にて適用することができる。
【００２５】  また、女性用シャツ（ブラウス等）は、ボタンとボタン穴の位置が男性用シャツに比べて、左右が逆となるが、男性用シャツと同要領にて、本発明を適用することができる。
【符号の説明】
【００２６】  １      シャツ
２      前身頃
３      ボタン
４      ボタン側
４ａ    下部の表側
５      ボタン穴
６      ボタン穴側
６ａ    下部の裏側
７      接合部材（面接合テープ）
７ａ    表接合部材（表面接合テープ）
７ｂ    裏接合部材（裏面接合テープ）
【図１】
2013227706.tif 000003
【図２】
2013227706.tif 000004
【図３】
2013227706.tif 000005